(57)【要約】  バスケット（１）、アウターチューブ（２）及び操作部（１０）を備え、バスケット（１）は操作部（１０）に接続され、操作部（１０）はバスケット（１）を移動制御することができる採石バスケットを提供する。アウターチューブ（２）は、近位端が操作部（１０）に接続され、近位端から遠位端に向かって軸方向に延び、アウターチューブ（２）の遠位端には二腔式エンドキャップ（５）が設けられ、二腔式エンドキャップ（５）の一方の腔部（Ｂ７）にはガイドワイヤ（４）が通過し、二腔式エンドキャップ（５）の他方の腔部（Ａ６）にはバスケット（１）が通過する。該採石バスケットは、ガイドワイヤがバスケットの遠位端のエンドキャップに連動して、バスケットによる結石の拘束やバスケットの胆道からの回収を邪魔するとの従来技術の問題を解決する。【選択図】図１
2021531927.tif 000002
【特許請求の範囲】
【請求項１】
バスケットと、アウターチューブと、操作部と、を備え、
前記バスケットは、前記操作部に接続され、
前記操作部は、前記バスケットを移動制御することができ、
前記アウターチューブは、その近位端が操作部に接続され、前記近位端から遠位端に向かって軸方向に延びており、
前記アウターチューブの遠位端には、二腔式エンドキャップが設けられており、前記二腔式エンドキャップの一方の腔部には、ガイドワイヤが通過し、前記二腔式エンドキャップの他方の腔部には、前記バスケットが通過する、
ことを特徴とする採石バスケット。
【請求項２】
前記操作部は、ハンドルと、芯棒と、を備え、
前記ハンドルが前記芯棒に沿って前後にスライドすることにより、前記バスケットが張出又は回収される、
ことを特徴とする請求項１に記載の採石バスケット。
【請求項３】
前記二腔式エンドキャップは、接続部と、二腔部と、を備える、
ことを特徴とする請求項１に記載の採石バスケット。
【請求項４】
前記二腔式エンドキャップの腔部は、アウターチューブと共同にバスケットを張出や回収するための腔部を構成する中空構造である、
ことを特徴とする請求項１に記載の採石バスケット。
【請求項５】
前記接続部の一端の外面には、前記アウターチューブに接続される螺旋状逆鉤構造を有し、前記接続部の他端の外面には、前記二腔部に接続される突出構造を有する、
ことを特徴とする請求項３に記載の採石バスケット。
【請求項６】
前記突出構造の周囲には、溝構造を有する、
ことを特徴とする請求項５に記載の採石バスケット。
【請求項７】
前記突出構造は、四角、六角又は八角状の止め構造である、
ことを特徴とする請求項５に記載の採石バスケット。
【請求項８】
前記接続部と二腔部との接続方式は、二色成形、粘着、焼き嵌めである、
ことを特徴とする請求項３に記載の採石バスケット。
【請求項９】
前記二腔式エンドキャップの遠位端の端面において、ガイドワイヤが通過する腔部側には、案内斜角構造を有する、
ことを特徴とする請求項１に記載の採石バスケット。
【請求項１０】
前記二腔式エンドキャップにおいて、バスケットを通す腔部の外輪郭の厚さが、ガイドワイヤを通す腔部の外輪郭の厚さよりも大きい、
ことを特徴とする請求項１に記載の採石バスケット。
【請求項１１】
採石バスケット用の二腔式エンドキャップであって、
接続部と、二腔部と、を備え、
前記二腔部は、２つの腔部を有し、
前記二腔部の一方の腔部には、ガイドワイヤが通過し、前記二腔部の他方の腔部には、バスケットが通過する、
ことを特徴とする採石バスケットに用いられる二腔式エンドキャップ。
【請求項１２】
前記接続部の一端の外面には、螺旋状逆鉤構造を有し、前記接続部の他端の外面には、突出構造を有する、
ことを特徴とする請求項１１に記載の二腔式エンドキャップ。
【請求項１３】
前記突出構造の周囲には、溝構造を有する、
ことを特徴とする請求項１２に記載の二腔式エンドキャップ。
【請求項１４】
前記二腔部の遠位端の端面において、ガイドワイヤが通過する腔部側には、案内斜角構造を有する、
ことを特徴とする請求項１１に記載の二腔式エンドキャップ。
【請求項１５】
前記二腔部において、バスケットを通す腔部の外輪郭の厚さが、ガイドワイヤを通す腔部の外輪郭の厚さよりも大きい、
ことを特徴とする請求項１１に記載の二腔式エンドキャップ。
【発明の詳細な説明】
【技術分野】
【０００１】
本願は、採石バスケット（ｓｔｏｎｅ  ｅｘｔｒａｃｔｉｏｎ  ｂａｓｋｅｔ）及び採石バスケット用の二腔式エンドキャップ（Ｄｏｕｂｌｅ  ｌｕｍｅｎ  ｅｎｄ  ｃａｐ）に関する。
【背景技術】
【０００２】
ＥＲＣＰ手術（ＥＲＣＰ、Ｅｎｄｏｓｃｏｐｉｃ  Ｒｅｔｒｏｇｒａｄｅ  Ｃｈｏｌａｎｇｉｏ  ｐａｎｃｒｅａｔｏｇｒａｐｈｙ）、すなわち、内視鏡的逆行性胆道膵管造影法とは、十二指腸鏡を降順十二指腸まで挿入して十二指腸乳頭部を探し、生検チャネルを介して造影カテーテルを乳頭部の開口部まで挿入し、造影剤を注入してＸ放射線で撮影し、膵胆管を表示する技術である。ＥＲＣＰは、切り開く必要がなく、外傷が小さく、かかる時間が短く、外科手術よりも合併症が少なく、入院期間も大幅短縮され、このため、患者の中で人気がある。ＥＲＣＰ付属品のうちよく使用されている採石工具としての採石バスケットは、胆道内の結石を取り出すことができる。採石バスケットは、ガイドワイヤ付きバスケット、ガイドワイヤ無しバスケット、及び結石破砕除去両用の採石バスケットに分けられ、バスケットの形状によっては「六角形」、「ダイヤモンド形」及び「螺旋形」に分けられる。
【０００３】
従来のＥＲＣＰ手術では、器具の交換が人体内に予め配置されている長いガイドワイヤ（４．５ｍ）を通じて行われるが、医師と看護師とが協力して実施する必要があり、医師と看護師との作業の連携に高い習熟度が求められ、そして手術には時間がかかり、手術時間を節約し、医師一人での作業を実現するために、ＥＲＣＰ手術には、短いガイドワイヤ（２．６ｍ）を利用してＥＲＣＰ器具同士を効率よく交換することができる手術器具が開発されている。現在、常用の採石バスケットでは、ガイドワイヤ腔部がないか又はガイドワイヤ腔部が長過ぎることから、短いガイドワイヤを用いたＥＲＣＰ手術と効率的に交換することはできない。短いガイドワイヤと組み合わせて使用される採石バスケット技術は、まだ発展段階にあり、今のところ、ガイドワイヤ腔部の入り口が力を受けて引っ張れると変形し、ガイドワイヤの挿入が困難になったり、ガイドワイヤがバスケットの遠位端のエンドキャップに連動して、バスケットによる結石のトラップやバスケットの胆道からの回収を邪魔したりするという問題が存在する。
【発明の概要】
【０００４】
本願は、バスケットと、アウターチューブと、操作部と、を備え、前記バスケットは、前記操作部に接続され、前記操作部は、前記バスケットを移動制御することができ、前記アウターチューブは、近位端が操作部に接続され、前記近位端から遠位端に向かって軸方向に延びており、前記アウターチューブの遠位端には、二腔式エンドキャップが設けられており、ガイドワイヤが前記二腔式エンドキャップの一方の腔部には、ガイドワイヤが通過し、前記二腔式エンドキャップの他方の腔部には、前記バスケットが通過する採石バスケットを提供する。
【０００５】
前記操作部は、ハンドルと、芯棒と、を備え、前記ハンドルが前記芯棒に沿って前後にスライドすることにより、前記バスケットが張出又は回収されるようにしてもよい。
【０００６】
前記二腔式エンドキャップは、接続部と、二腔部と、を備えるようにしてもよい。
【０００７】
前記二腔式エンドキャップの腔部は、アウターチューブと共同にバスケットを張出や回収するための腔部を構成する中空構造であるようにしてもよい。
【０００８】
前記接続部の一端の外面には、前記アウターチューブに接続される螺旋状逆鉤構造を有し、前記接続部の他端の外面には、前記二腔部に接続される突出構造を有するようにしてもよい。
【０００９】
前記突出構造の周囲には、溝構造を有するようにしてもよい。
【００１０】
前記突出構造は、四角、六角又は八角状の止め構造であるようにしてもよい。
【００１１】
前記接続部と二腔部との接続方式は、二色成形、粘着、焼き嵌めであるようにしてもよい。
【００１２】
前記二腔式エンドキャップの遠位端の端面において、ガイドワイヤが通過する腔部側には、案内斜角構造を有するようにしてもよい。
【００１３】
前記二腔式エンドキャップにおいて、バスケットを通す腔部の外輪郭の厚さが、ガイドワイヤを通す腔部の外輪郭の厚さよりも大きいようにしてもよい。
【００１４】
本願は、接続部と、二腔部と、を備え、前記二腔部は、２つの腔部を有し、前記二腔部の一方の腔部には、ガイドワイヤが通過し、前記二腔部の他方の腔部には、バスケットが通過する採石バスケットに用いられる二腔式エンドキャップをさらに提供する。
【００１５】
前記接続部の一端の外面には、螺旋状逆鉤構造を有し、前記接続部の他端の外面には、突出構造を有するようにしてもよい。
【００１６】
前記突出構造の周囲には、溝構造を有するようにしてもよい。
【００１７】
前記二腔部の遠位端の端面において、ガイドワイヤが通過する腔部側には、案内斜角構造を有するようにしてもよい。
【００１８】
前記二腔部において、バスケットを通す腔部の外輪郭の厚さが、ガイドワイヤを通す腔部の外輪郭の厚さよりも大きいようにしてもよい。
【００１９】
接続部及び二腔部は、ステンレス鋼、医療用ポリマー材料で製造されてもよい。
【００２０】
人体の胆道などの器官が規則的な形状をしている管状構造ではないため、使用中、アウターチューブの直径が大きく、内部にバスケットなどの部材が設けられているので、柔軟性が悪く、曲げられた箇所ではアウターチューブを押すときに所定の経路からずれることが発生しやすく、一方、本願の採石バスケットでは、アウターチューブの遠位端に二腔式エンドキャップが設けられ、二腔式エンドキャップがアウターチューブの内壁に密着している。使用する際に、切開刀（Ｓｐｈｉｎｃｔｅｒｏｔｏｍｅ）を用いてガイドワイヤを所定の位置に押すことができる。採石バスケットで結石を除去する必要がある場合、予めガイドワイヤ腔部にガイドワイヤを通して、ガイドワイヤを固定しておき、アウターチューブを押してアウターチューブをガイドワイヤに沿って移動させ、このように、アウターチューブが所定の経路にしたがって移動することが可能になる。
【図面の簡単な説明】
【００２１】
以下、本願の技術案をより明確に説明するために、実施例に必要な図面を簡単に説明するが、明らかなように、当業者であれば、創造的な努力を付与せずに、これらの図面に基づいて他の図面を得ることができる。
【図１】採石バスケット全体の模式図である。
【図２Ａ】二腔式エンドキャップの断面図である。
【図２Ｂ】二腔式エンドキャップの構造を示す図である。
【図３】二腔式エンドキャップの先端接続部材を示す図である。
【図４Ａ】採石バスケットが胆道内で結石の位置を特定する様子を示す図である。
【図４Ｂ】採石バスケットを引き締めるときの様子を示す図である。
【図４Ｃ】採石バスケットで結石を除去するときの様子を示す図である。
【発明を実施するための形態】
【００２２】
以下、本願の目的、技術構成及び利点をより明確にするために、図面及び実施例を参照しながら、本願をより詳細に説明する。なお、ここで説明する特定の実施例は、本願を解釈するためのものに過ぎず、本願を限定するものではない。
【００２３】
以下、操作者に近い一端を近位端、操作者に遠い一端を遠位端として定義する。
【００２４】
図１には、採石バスケット全体が示されており、本願の採石バスケットは、バスケット１、アウターチューブ２、及び操作部１０を備え、バスケット１は、操作部に接続され、操作部１０は、バスケットを操縦して移動させることができ、アウターチューブ２は、近位端が操作部に接続され、採石バスケットに沿って近位端から遠位端に向かって軸方向に延びている。操作部１０は、ハンドル１１と芯棒１２とを備え、芯棒１２は、採石バスケットに沿って近位端から遠位端に向かって軸方向に延びており、ハンドル１１は、採石バスケットの近位端に位置しかつ芯棒１２に設けられ、ハンドル１１は、バスケット１が張出又は回収されるように芯棒１２に沿って前後にスライドすることができる。アウターチューブ２の近位端には、シース３が設けられており、シース３の近位端は、接続部材１４を介して芯棒１２に接続されている。本願の採石バスケットのアウターチューブ２の遠位端には、二腔式エンドキャップ５が設けられている。
【００２５】
図１、図２Ａ〜２Ｂに示すように、二腔式エンドキャップ５は、接続部８と二腔部９とを備え、ガイドワイヤ４は、二腔式エンドキャップ５の一方の腔部、即ち腔部Ｂ７を通過し、バスケット１は、二腔式エンドキャップ５の他方の腔部、即ち腔部Ａ６を通過する。二腔式エンドキャップの２つの腔部は、アウターチューブ２と共同にバスケット１を張出や回収するための腔部を構成する中空構造である。
【００２６】
図３に示すように、接続部８は、一端が二腔部９に接続され、他端がアウターチューブ２に接続され、接続部８におけるアウターチューブ２に接続された一端において、その外面に螺旋状逆鉤構造１９を有し、接続部８における二腔部９に接続された一端において、接続部８の外面に突出構造２０を有し、突出構造２０の周囲には溝構造２１を有してもよく、接続部８と二腔部９とは、突出構造２０及び溝構造２１によってよりよく接続できるようになる。接続部８と二腔部９の接続方式は、二色成形、粘着、焼き嵌めや他の方式であってもよい。突出構造２０は、四角、六角又は八角状などの止め構造であってもよい。本願の採石バスケットの遠位端には、ガイドワイヤを通す機能を果たす二腔式エンドキャップが設けられており、それにより、ガイドワイヤ腔部の強度が高まり、ガイドワイヤを通す腔部の変形や割れを回避し、開放されたバスケットがガイドワイヤと干渉することを回避することができる。
【００２７】
図１、図２Ｂ、図４Ａ〜図４Ｃに示すように、実際に使用する際に、採石バスケットには二腔式エンドキャップ５を有し、ガイドワイヤ４を二腔式エンドキャップ５の腔部Ｂ７に挿通させ、バスケット１を二腔式エンドキャップ５の腔部Ａ６に位置させる。器具全体をガイドワイヤ４に沿って内視鏡チャンネルに挿入し、採石バスケットのアウターチューブ２を十二指腸乳頭部１８まで推進させ、内視鏡１６で十二指腸乳頭部１８を観察し、採石バスケットのアウターチューブ２の遠位端を、十二指腸乳頭部１８を経て胆道１７に挿入する。注射器を用いて採石バスケットのルアーコネクタ１３を介して造影剤を注射し、バスケット１及び結石１５の位置を特定することを支援する。採石バスケットのアウターチューブ２を遠位端へ推進させ、キャプチャーしようとする結石１５を越えるようにする。遠位端へ操作部１０のハンドル１１を推進させることで、バスケット１を緩やかに開放し、バスケット１を牽引して結石１５を囲い込むことによってバスケット１で結石１５を拘束した後、結石１５が締められて採石バスケットのアウターチューブ２の遠位端の端面に固定されるように操作部１０のハンドル１１を引き戻する。近位端へハンドル１１を引き込めて結石１５が胆道１７外へ引き出されるまでバスケット１を回収する。結石が複数ある場合、すべての結石が取り出されるまで、上記操作を繰り返す。
【００２８】
本願の一部の実施例では、二腔式エンドキャップ５の遠位端の端面において、ガイドワイヤ４が通過する腔部側には、案内斜角構造を有する。二腔式エンドキャップ５の二腔部９の遠位端の端面に案内斜角を増設することにより、採石バスケットの十二指腸鏡での通過性が高まる。つまり、二腔式エンドキャップ５が十二指腸鏡の遠位端の出口位置での鉗子起立機構と干渉することが回避され、カテーテルの遠位端の先端部キャップが鉗子起立機構を経る際に、カテーテルは、斜角の案内作用によりスライドして鉗子起立機構を順調に通過することができる。実際に使用するときに、案内斜角構造がないと、二腔式エンドキャップ５は、ガイドワイヤの腔部端面を通過するときに、先に鉗子起立機構と接触して止めさせられる。
【００２９】
また、実際の応用において、採石バスケットが十二指腸鏡を通過した後に摘出操作を実施するため、二腔式エンドキャップ５が患者の胆道や十二指腸などの器官組織の内壁に接触する可能性があり、したがって、二腔式エンドキャップ５の二腔部９の遠位端の端面に案内斜角を増設することにより、組織を通過可能な状態となり、組織内壁による採石バスケットの動作の邪魔を回避し、組織が二腔式エンドキャップ５の端面によって傷つけられることを回避することができる。
【００３０】
本願の一部の実施例では、前記二腔式エンドキャップにおいて、バスケットを通す腔部の外輪郭の厚さが、ガイドワイヤを通す腔部の外輪郭の厚さよりも大きい。実際に使用する際に、内視鏡器具において、一般に人体に挿入された器具の部分のサイズは、ｆｒｅｎｃｈ、つまり器具挿入部の断面の周長で示される。人体の自然孔（ｎａｔｕｒａｌ  ｏｒｉｆｉｃｅ）は、不規則的に蠕動するので、断面積が異型の器具の場合、人体の自然孔に挿入されるときに、断面の周長が小さいほど挿入性が優れる。器具の可挿入性は、器具の性能を評価するための非常に重要な指標である。多くの場合、人体の乳頭孔のような極めて小さいチャンネルに関しては、器具にはより小さなｆｒｅｎｃｈが求められ、簡便に挿入されて後続の手術操作を実施するように、より優れた挿入性を有することが必要とされる。したがって、前記二腔式エンドキャップでは、バスケットを通す腔部の外輪郭の厚さが、ガイドワイヤを通す腔部の外輪郭の厚さよりも大きいように構成されることにより、カテーテルの断面のサイズをできるだけ減らし、より良好な挿入性を実現し、採石バスケットの十二指腸乳頭部への挿入効率を高めることができる。
【００３１】
以上は、当業者が本願を理解又は実現できるようにする本願の好適な実施形態に過ぎない。これらの実施例に対する複数の修正や組み合わせは、当業者にとって明らかなことであり、本明細書で定義された一般的な原理は、本願の趣旨や範囲を逸脱することなく、他の実施例において実現されてもよい。したがって、本願は、本明細書に示されるこれらの実施例に制限されず、本明細書で開示された原理及び新規の特徴と一致する最も広い範囲とすべきである。
【００３２】
本願は、２０１８年９月１１日に中国特許庁に提出された、出願番号が２０１８２１４８１５３４．０であり、名称が「採石バスケット」である中国特許出願の優先権を主張し、その全内容が援用により本願に組み込まれている。
【符号の説明】
【００３３】
１    バスケット
２    アウターチューブ
３    シース
４    ガイドワイヤ
５    二腔式エンドキャップ
６    腔部Ａ
７    腔部Ｂ
８    接続部
９    二腔部
１０  操作部
１１  ハンドル
１２  芯棒
１３  ルアーコネクタ
１４  接続部材
１５  結石
１６  内視鏡
１７  胆道
１８  十二指腸乳頭部
１９  螺旋状逆鉤構造
２０  突出構造
２１  溝構造
【図１】
2021531927.tif 000003
【図２Ａ】
2021531927.tif 000004
【図２Ｂ】
2021531927.tif 000005
【図３】
2021531927.tif 000006
【図４Ａ】
2021531927.tif 000007
【図４Ｂ】
2021531927.tif 000008
【図４Ｃ】
2021531927.tif 000009
【国際調査報告】
2021531927.tif 000010
2021531927.tif 000011
2021531927.tif 000012
2021531927.tif 000013